(57)【要約】【課題】比較的小量の液体状、顆粒状、粉体状等の内容物を収納し、容易に開封して取り出しあるいは注出することができ、かつ、輸送等の流通時にも内容物を安全に収納することができるブリスター包装体を提供することにある。【解決手段】本発明は、容器本体が熱可塑性プラスチックシートを成形してなる収納部と外周部からなり、収納部に内容物を収納後、蓋体を容器本体の外周部に熱接着して収納部を封止したブリスター包装体において、外周部を折り曲げ、収納部を２分割して収納部に注出口を形成するために、容器本体を２分する半切れ線が収納部および外周部に渡って一直線状に設けられ、外周部の半切れ線上に凸状の補強部が設けられていることを特徴とするブリスター包装体であり、補強部が、収納部を挟んだ位置となる両外周部にそれぞれ１ヶ所ずつ設けられていることを特徴としている。また、収納部が端部に棒状の突出部を有し、該突出部にかかる位置に半切れ線が設けられていることを特徴としている。【選択図】図１
2005008259.tif 000002
【特許請求の範囲】
【請求項１】
容器本体が熱可塑性プラスチックシートを成形してなる収納部と外周部からなり、前記収納部に内容物を収納後、蓋体を前記容器本体の前記外周部に熱接着して前記収納部を封止したブリスター包装体において、
前記外周部を折り曲げ、前記収納部を２分割して前記収納部に注出口を形成するために、前記容器本体を２分する半切れ線が前記収納部および前記外周部に渡って一直線状に設けられ、前記外周部の前記半切れ線上に凸状の補強部が設けられていることを特徴とするブリスター包装体。
【請求項２】
前記補強部が、前記収納部を挟んだ位置となる両外周部にそれぞれ１ヶ所ずつ設けられていることを特徴とする請求項１に記載のブリスター包装体。
【請求項３】
前記収納部が端部に棒状の突出部を有し、該突出部にかかる位置に前記半切れ線が設けられていることを特徴とする請求項１又は２に記載のブリスター包装体。
【発明の詳細な説明】
【０００１】
【発明の属する技術分野】
本発明は比較的少量の医薬品、化粧品、食品、調味料等を収納するブリスター包装体に関するものであり、詳しくは、液体状、顆粒状、粉体状等の内容物を収納し、簡単な操作で収納された内容物の取り出しあるいは注出することを可能にしたブリスター包装体に関するものである。
【０００２】
【従来の技術】
従来より、比較的少量の液体状、顆粒状、粉体状等の内容物を収納する包装形態として、熱可塑性プラスチックシートを成形して内容物を収納する収納部を設けた容器本体に、収納部に内容物を収納した後、プラスチックフィルム等からなる蓋体を容器本体に熱接着して収納部を封止したブリスター包装体が広く使用されている。
【０００３】
このブリスター包装体を開封して中から収納した内容物を取り出しあるいは注出するには、容器本体から蓋体を引き剥がす方法が広く行われている。また、開封しやすいという点から、図３−ａに示すように、収納部１１を２分割して外周部１２を横断する一直線上に半切れ線ｌが設けられ、図３−ｂに示すように、容器本体１０を蓋体２０ごと半切れ線ｌを折り曲げて容器本体１０の収納部１１の一部を割って注出口２を形成する方法が行われている（例えば、特許文献１参照。）。
【０００４】
【特許文献１】
特開２００２−１７９１３７号公報
【０００５】
【発明が解決しようとする課題】
しかしながら、この方法では、開封は容易であるが、容器本体に半切れ線を入れているため、輸送等の流通時に折れてしまい、特に、内容物が液体の場合に内容物が漏れ出してしまうという問題がある。
【０００６】
本発明は、容器本体と蓋体とからなるブリスター包装体に関して以上のような問題点に着目してなされたもので、比較的小量の液体状、顆粒状、粉体状等の内容物を収納し、容易に開封して取り出しあるいは注出することができ、かつ、輸送等の流通時にも内容物を安全に収納することができるブリスター包装体を提供することを目的とするものである。
【０００７】
【課題を解決するための手段】
上記課題を解決すべくなされた本発明は、容器本体が熱可塑性プラスチックシートを成形してなる収納部と外周部からなり、前記収納部に内容物を収納後、蓋体を前記容器本体の前記外周部に熱接着して前記収納部を封止したブリスター包装体において、前記外周部を折り曲げ、前記収納部を２分割して前記収納部に注出口を形成するために、前記容器本体を２分する半切れ線が前記収納部および前記外周部に渡って一直線状に設けられ、前記外周部の前記半切れ線上に凸状の補強部が設けられていることを特徴とするブリスター包装体であり、前記補強部が、前記収納部を挟んだ位置となる両外周部にそれぞれ１ヶ所ずつ設けられていることを特徴としている。
【０００８】
また、前記収納部が端部に棒状の突出部を有し、該突出部にかかる位置に前記半切れ線が設けられていることを特徴としている。
【０００９】
このように、本発明は、容器本体と蓋体とからなるブリスター包装体に関して、容器本体の収納部に注出口を形成するために、外周部を折り曲げ、収納部を２分割する半切れ線を一直線状に設け、収納部を挟むそれぞれの外周部の半切れ線上に凸状の補強部を設けたことにより、使用前の段階では折れて内容物が漏れ出すことを防いでおり、使用する時には、安全に内容物を取り出しあるいは注出する注出口を形成することができるブリスター包装体を得ることができるものである。また、収納部が端部に棒状の突出部を有し、該突出部にかかる位置に半切れ線を設けることによって、小さな注出口とすることができ、内容物を少量ずつ取り出しあるいは注出することができる。
【００１０】
【発明の実施の形態】
本発明のブリスター包装体の実施の形態について実施例に基づいて以下に詳細に説明する。
【００１１】
図１は、本発明のブリスター包装体の実施の形態の一実施例を示す斜視図である。ブリスター包装体１は、熱可塑性プラスチックシートを成形して内容物３０を収納する収納部１１と外周部１２と補強部１３からなる容器本体１０に、内容物３０を収納部１１に収納後、蓋体２０を容器本体１０の外周部１２に熱接着して収納部１１を封止した構造である。また、容器本体１０には、従来のブリスター包装体と同様に収納部１１を２分割して外周部１２を横断する一直線状に半切れ線Ｌが設けられているが、本発明のブリスター包装体１では、図１−ａに示すように、収納部１１を挟むそれぞれの外周部１２の半切れ線Ｌ上に凸状の補強部１３、１３が設けられている。このブリスター包装体１は、図１−ｂに示すように、半切れ線Ｌを蓋体２０側に折り曲げることにより、容器本体１０の収納部１１の一部が割られ、注出口２が形成されるが、この補強部１３を設けることにより、半切れ線Ｌを補強することができ、ブリスター包装体１を容易に開封して取り出しあるいは注出することができると共に、開封する前の段階では、半切れ線Ｌが簡単に折れることがないように防いでいる。
【００１２】
本発明のブリスター包装体の容器本体１０は、内容物３０を収納する収納部１１と、蓋体２０と熱接着する外周部１２と、凸状の補強部１３からなっている。この容器本体１０は、真空成形法、圧空成形法、あるいは真空、圧空成形法等の公知のシート成形法により、上記の熱可塑性プラスチックシートを成形して形成される。収納部１１の形状、寸法等は、特に限定されるもではないが、内容物３０を少しずつ注出しやすくするためには、図２に示すように、収納部１１の端部を棒状に突出した突出部１１ａとし、そして、この突出部１１ａに容器本体２０の半切れ線Ｌが位置するようにすることが好ましい。このように収納部１１の突出部１１ａと半切れ線Ｌの位置を合わせることによって、半切れ線Ｌを折り曲げて収納部１１を分割して注出口２を形成した時に、注出口２が収納部１１の端部の突出部１１ａの位置になり、注出口２を小さくすることができ、内容物３０を少しずつ容易に取り出しあるいは注出することができる。
【００１３】
また、収納部１１を挟むそれぞれの外周部１２の半切れ線Ｌ上には、凸状の補強部１３、１３が設けられている。この補強部１３は、収納部１１を挟んで両外周部１２にそれぞれ１ヶ所ずつ設けることが、開口する時の力のバランスを保つために好ましい。補強部１３の大きさは、大きすぎると開封しにくくなり、小さすぎると補強の効果がなくなり、容器本体１０の大きさに合わせて適宜設定することができる。この補強部１３の形状は、特に、限定されるものではない。
【００１４】
容器本体１０を形成する熱可塑性プラスチックシートとしては、ポリ塩化ビニール樹脂、ポリスチレン樹脂、ポリエチレンテレフタレート樹脂等の一般的に公知のブリスター包装体に使用するプラスチックシートを使用することができる。内容物３０がガスバリア性を必要とする場合には、上記プラスチックシートにエチレン−酢酸ビニル共重合体ケン化物、ポリアクリロニトリル、ポリ塩化ビニリデンコートフィルム等のガスバリア性を有するフィルム等を積層した積層プラスチックシートも使用することができる。また、熱可塑性プラスチックシートの厚みは、内容物３０の容量によって適宜設定することができるが、０．１〜１．０ｍｍの範囲が好ましい。
【００１５】
本発明のブリスター包装体の蓋体２０は、容器本体１０の外周部１２に熱接着し、容器本体１０の収納部１１を封止している。
【００１６】
蓋体２０に使用する材料は、基材として、例えば、ポリエチレン、ポリプロピレン、ポリエチレンテレフタレート、無機若しくは無機酸化物が蒸着されたポリエチレンテレフタレート、金属若しくは金属酸化物が蒸着されたポリエチレンテレフタレート、ナイロン、紙、アルミニウム箔等、あるいはこれらの積層体を使用することができ、内容物３０を保護するためのバリアー層としては、例えば、エチレン−ビニルアルコール共重合体、ポリ塩化ビニリデン、ポリ塩化ビニリデンコートポリプロピレン等を使用することができ、上記の熱可塑性プラスチックシートを成形して形成された容器本体１０に熱接着させるためのシール層としては、例えば、ポリエチレン樹脂、ポリプロピレン樹脂、エチレン−プロピレン共重合体、アイオノマー樹脂、塩化ビニル−酢酸ビニル共重合体、アクリル酸樹脂、メタクリル酸樹脂、エチレン−アクリル酸共重合体、エチレン−メタクリル共重合体、エチレン−アクリル酸エステル共重合体、エチレン−メタクリル酸エステル共重合体、ポリアクリロニトリル、非晶性ポリエステル、エチレン−酢酸ビニル共重合体等の単体ないし複合体を使用することができる。また、蓋体２０の厚みは１００〜５００μｍの範囲が好ましく使用できる。
【００１７】
本発明のブリスター包装体を製造する方法は、つぎの通りである。
【００１８】
容器本体１０と蓋体２０を、それぞれ別の製造工程で作製する。容器本体１０を、上記の熱可塑性プラスチックシートを使用して、真空成形法、圧空成形法、あるいは真空、圧空成形法等のシート成形法により、収納部１１および補強部１３を所定の形状および位置に形成し、その後、所定の外形に打ち抜いて作製する。また、同一工程あるいは別工程で、外周部１２、補強部１３、収納部１１に渡って一直線状に半切れ線Ｌを表面側から設ける。この半切れ線Ｌは切れ刃を用いた打ち抜き加工、あるいはレーザー加工によって設けることができる。
【００１９】
つぎに、蓋体２０を、押出しラミネーション、ドライラミネーション、各種コーティング等により積層して作製し、所定形状に打ち抜くことにより製造することができる。
【００２０】
このようにして製造した容器本体１０と蓋体２０を用いて、容器本体１０の収納部１１に内容物３０を収納し、蓋体２０を容器本体１０の外周部１２に熱接着して内容物３０を収納した収納部１１を封止し、内容物３０が収納された本発明のブリスター包装体１を製造することができる。
【００２１】
本発明のブリスター包装体１において、収納された内容物を注出する方法は、容器本体１０を熱接着された蓋体２０と共に、図１−ａに示すように、半切れ線Ｌで蓋体２０側に折り曲げて、同時に容器本体１０の収納部１１の突出部１１ａを２分割することによって、収納部１１に注出口２を形成することができる。そして、この注出口２から、図１−ｂに示すように、収納部１１に収納された内容物３０を取り出しあるいは注出することができる。
【００２２】
本発明のブリスター包装体に収納する内容物は、液体状、顆粒状、粉体状の医薬品、化粧品、調味料等の食品、健康食品、洗剤等の雑貨品等に使用することができる。また、それらの試供品には好適に使用することができる。
【００２３】
【実施例】
つぎに、本発明のブリスター包装体について、以下に具体例をあげてさらに説明する。
【００２４】
実施例として、内容物が顆粒状の健康食品の試供品であるブリスター包装体を作製した。まず、未延伸ポリプロピレン単体シート１００μｍを使用して、真空成形により、収納部と外周部からなる容器本体を作製した。収納部を端部に棒状の突出部を有する形状とした。また、収納部の両側に位置する外周部の所定の位置に１ヶ所ずつ凸状の補強部を設けた。そして、レーザー加工により、外面側から外周部、補強部、収納部に渡って一直線状に半切れ線を入れた。つぎに、ポリエチレンテレフタレート１２μｍに、エチレン−酢酸ビニル共重合体５０μｍをラミネートした積層体を使用して、容器本体と同一形状に打ち抜いて蓋体を作製した。ついで、容器本体の収納部に内容物を収納した後、蓋体を外周部で熱接着して収納部を封止して本発明のブリスター包装体を製造した。このブリスター包装体の一部を半切れ線で蓋体側に折り曲げ、容器本体の収納部の一部を割って注出口として、内容物を取り出すことができた。
【００２５】
【発明の効果】
このように、本発明のブリスター包装体は、容器本体と蓋体とからなり、容器本体の収納部に注出口を形成するために、外周部を折り曲げ、収納部を２分割する半切れ線を一直線状に設け、収納部を挟むそれぞれの外周部の半切れ線上に凸状の補強部を設けたことにより、使用前の段階では折れて内容物が漏れ出すことを防いでおり、使用する時には、安全に内容物を取り出しあるいは注出する注出口を形成することができるという効果を有している。また、収納部が端部に棒状の突出部を有し、該突出部にかかる位置に半切れ線を設けることによって、小さな注出口とすることができ、内容物を少量ずつ取り出しあるいは注出することができるという効果を有するものである。
【図面の簡単な説明】
【図１】本発明のブリスター包装体の実施の形態の一実施例を示す斜視図である。
【図２】本発明のブリスター包装体の実施の形態の一実施例の容器本体を示す概略平面図である。
【図３】従来のブリスター包装体の一例を示す斜視図である。
【符号の説明】
１    ブリスター包装体
Ｐ    従来のブリスター包装体
２    注出口
１０    容器本体
１１    収納部
１１ａ  突出部
１２    外周部
１３    補強部
２０    蓋体
３０    内容物
Ｌ    半切れ線
ｌ    半切れ線（従来のブリスター包装体）
【図１】
2005008259.tif 000003
【図２】
2005008259.tif 000004
【図３】
2005008259.tif 000005